(57)【要約】【課題】  本発明は、簡易な構成でフック穴の破損を防止できるようにする。【解決手段】  本発明は、内部に収納空間を有する箱構成部１０と、当該箱構成部１０の上部又は下部において当該箱構成部１０の前面板１０Ａ及び背面板１０Ｂを貫通するよう設けられた２個の吊下げ用フック穴３、４と、当該２個の吊下げ用フック穴３、４を貫通する同一直線上でかつ収納空間内に配置されたシート状の第２の補強板部２７に設けられる補強用フック穴２９とを設けることにより、２個の吊下げ用フック穴３、４に加えて補強用フック穴２９を吊下げフックに係止させることができるので、外観上の美観を損なうことなく２個の吊下げ用フック穴３、４を補強することができる。【選択図】        図４
2007008540.tif 000002
【特許請求の範囲】
【請求項１】
内部に収納空間を有する箱部と、
上記箱部の上部又は下部において当該箱部の前面側及び背面側を貫通するよう設けられた２個の吊下げ用フック穴と、
上記２個の吊下げ用フック穴を貫通する同一直線上でかつ上記収納空間内に配置されたシート状の片部に設けられる補強用フック穴と
を具えることを特徴とする吊下げ式個装箱。
【請求項２】
上記補強用フック穴は、上記２個の吊下げ用フック穴よりも全体として僅かに大きく形成されている
ことを特徴とする請求項１に記載の吊下げ式個装箱。
【請求項３】
上記蓋部は、上記収納空間を閉塞する際、当該収納空間に差し込まれる当該蓋部の先端部分を構成する差込舌片の所定位置に、上記吊下げ用フック穴に対応した上記補強用フック穴が設けられている
ことを特徴とする請求項１に記載の吊下げ式個装箱。
【請求項４】
上記片部は、上記収納空間を開閉するための蓋部と一体形成されている
ことを特徴とする請求項１に記載の吊下げ式個装箱。
【請求項５】
上記蓋部には、上記２個の吊下げ用フック穴から上記収納空間に異物が入ることを防止するため、当該収納空間を閉塞するための仕切板部が設けられている
ことを特徴とする請求項４に記載の吊下げ式個装箱。
【請求項６】
上記蓋部は、上記箱部の上記背面側と一体形成され、当該蓋部の全体が上記収納空間から浮き上がるのを防止するため、当該蓋部の周囲には上記箱部の上端に設けられた舌部と係合するための切欠き部が設けられている
ことを特徴とする請求項４に記載の吊下げ式個装箱。
【請求項７】
上記箱部は、シースルーパッケージでなる
ことを特徴とする請求項１に記載の吊下げ式個装箱。
【発明の詳細な説明】
【技術分野】
【０００１】
本発明は、吊下げ式個装箱に関し、例えば小型の電子機器やアクセサリー部品等を収納した状態で店頭に吊り下げて陳列するための吊下げ式包装ケースに適用して好適なものである。
【背景技術】
【０００２】
従来、吊下げ式包装ケースとしては、ダンボール紙等で作成された箱の内部収納空間に例えばヘッドホンが収納された状態で陳列棚に吊下げられる用い方が一般的であり、その陳列棚の吊下げフックに吊下げ用フック穴を引っ掛け、その状態で吊下げ式包装ケース自体が前方又は後方に傾くことがないように構成されたものがある（例えば、特許文献１参照）。
【特許文献１】特開平9-328163号公報
【発明の開示】
【発明が解決しようとする課題】
【０００３】
ところでかかる構成の吊下げ式包装ケースにおいては、陳列棚に吊下げられた状態では内部収納空間に収納された電子機器等による重みや、ユーザによる吊下げフックからの取り外し操作時の負荷によって吊下げ用フック穴が拡げられ、最悪のときには破れてしまうという問題があった。
【０００４】
本発明は以上の点を考慮してなされたもので、簡易な構成でフック穴の破損を防止し得る高強度の吊下げ式個装箱を提案しようとするものである。
【課題を解決するための手段】
【０００５】
かかる課題を解決するため本発明の吊下げ式個装箱においては、内部に収納空間を有する箱部と、当該箱部の上部又は下部において当該箱部の前面側及び背面側を貫通するよう設けられた２個の吊下げ用フック穴と、当該２個の吊下げ用フック穴を貫通する同一直線上でかつ収納空間内に配置されたシート状の片部に設けられる補強用フック穴とを設けるようにする。
【０００６】
これにより、箱部の前面側及び背面側を貫通するよう設けられた２個の吊下げ用フック穴に加えて、当該２個の吊下げ用フック穴を貫通する同一直線上でかつ収納空間内に配置されたシート状の片部に設けられている補強用フック穴を吊下げフックに係止させることができるので、外観上の美観を損なうことなく収納空間内の補強用フック穴によって２個の吊下げ用フック穴を補強することができる。
【発明の効果】
【０００７】
本発明によれば、箱部の前面側及び背面側を貫通するよう設けられた２個の吊下げ用フック穴に加えて、当該２個の吊下げ用フック穴を貫通する同一直線上でかつ収納空間内に配置されたシート状の片部に設けられている補強用フック穴を吊下げフックに係止させることができるので、外観上の美観を損なうことなく収納空間内の補強用フック穴によって２個の吊下げ用フック穴を補強することができ、かくして簡易な構成でフック穴の破損を防止し得る高強度の吊下げ式個装箱を実現することができる。
【発明を実施するための最良の形態】
【０００８】
以下、図面について、本発明の一実施の形態を詳述する。
【０００９】
（１）吊下げ式包装ケースの概観構成
図１において、１は全体として本発明の吊下げ式個装箱としての吊下げ式包装ケースを示し、内部収納空間が設けられた略直方体形状の箱２における前面板１０Ａの上部に対して、店頭の陳列棚にある吊下げフック（図示せず）に通して引っ掛けるための吊下げ用フック穴３が形成されていると共に、箱２における背面部１０Ｂの上部に対しても当該吊下げ用フック穴３と同一形状及び同一サイズでなる吊下げ用フック穴４（破線で示す）が形成されている。
【００１０】
これにより吊下げ式包装ケース１では、箱２の前面板１０Ａに形成された吊下げ用フック穴３及び背面板１０Ｂに形成された吊下げ用フック穴４を陳列棚の吊下げフックが貫通し得るようになされており、陳列棚の吊下げフックに貫通された状態で係止されたとき、当該吊下げ式包装ケース１が吊下げ用フック穴３及び４の２点で支持されることになるため、箱２自体が内部収納空間に収納された収納物の自重によっても傾くことがなくほぼ垂直状態を保つようになされている。
【００１１】
（２）箱の構成及びその機能
図２に示すように吊下げ式包装ケース１は、箱構成部１０が組み立てられることにより箱２（図１）の内部収納空間を形成し、その内部収納空間を蓋構成部１１によって閉塞するようになされている。
【００１２】
また吊下げ式包装ケース１は、箱構成部１０及び蓋構成部１１が一体化された一部品により構成されているのが特徴であって、部品点数を増やすことなく簡素化されていると共にユーザが容易に組み立て得るようになされている。
【００１３】
箱構成部１０は、シート状の板紙でなる前面板１０Ａ、背面板１０Ｂ、当該前面板１０Ａと背面板１０Ｂとの間を繋ぐ側面板１０Ｃ及び側面板１０Ｄが折り目１１Ａ〜１１Ｄによって区分けされた構成を有し、前面板１０Ａ及び背面板１０Ｂの上部所定位置には上述の吊下げ用フック穴３及び吊下げ用フック穴４が形成されている。
【００１４】
ここで吊下げ用フック穴３及び吊下げ用フック穴４は、その形状が略二等辺三角形状でなり、三角形の頂点部分には僅かに丸みが施され、当該吊下げ用フック穴３及び吊下げ用フック穴４に対して陳列棚の吊下げフックが係合されたとき、当該吊下げフックと吊下げ用フック穴３及び吊下げ用フック穴４とを面接触させることにより破損し難くするよう考慮されている。
【００１５】
前面板１０Ａは、組み立て時に側面板１０Ｄと貼り合わせられる糊代片１２Ａと、組み立て時に側面板１０Ｃの底面片１３Ａと貼り合わせられる糊代部分１２Ｂがその一部に設けられた底面部１２Ｃとによって構成されている。
【００１６】
背面板１０Ｂは、組み立て時に前面板１０Ａの底面片１２Ｃと共に内部収納空間の底部を形成すると共に側面板１０Ｄの底面片１５Ａと貼り合わせられる糊代部分１４Ｂがその一部に設けられた底面部１４Ｃと、当該背面板１０Ｂの上部で一体化された蓋構成部１１とによって構成されている。
【００１７】
側面板１０Ｃ及び１０Ｄは、その上方に舌部１３Ｂ及び１５Ｂが設けられており、これにより箱構成部１０の内部収納空間を蓋構成部１１により蓋として閉塞したとき、当該舌部１３Ｂ及び１５Ｂを介して閉塞状態を維持し易くしている。
【００１８】
すなわち図３に示すように、舌部１３Ｂ及び１５Ｂは、側面板１０Ｃ及び側面板１０Ｄからテーパー状に段々と細くなった形状に伸び、その付け根部分１７及び１８だけが僅かに段差を形成するようになされており、当該付け根部分１７及び１８によって内部収納空間を閉塞する蓋との引っ掛かりを作り、閉塞状態を維持するようになされている。
【００１９】
蓋構成部１１（図２）は、箱構成部１０の背面板１０Ｂと折り目２１を介して接続された第１の補強板部２２が設けられており、当該折り目２１を介して第１の補強板部２２が折り曲げられたとき、箱構成部１０の背面板１０Ｂと対面した状態になるよう位置付けられる。
【００２０】
この第１の補強板部２２には、箱構成部１０の背面板１０Ｂに設けられている吊下げ用フック穴４と対向した位置に、吊下げ用フック穴４よりも一回り大きな穴サイズで当該吊下げ用フック穴４と相似形でなる第１の補強用フック穴２３が形成されており、第１の補強板部２２と背面部１０Ｂとが対面したときに陳列棚の吊下げフック（図示せず）を吊下げ用フック穴４及び第１の補強用フック穴２３に対して挿通させ得るようになされている。
【００２１】
ここで、第１の補強用フック穴２３が吊下げ用フック穴４よりも一回り大きなサイズで形成されているのは、陳列棚の吊下げフックを吊下げ用フック穴４から挿通させる際、吊下げ式包装ケース１の内部収納空間内に隠れている第１の補強用フック穴２３に対しても特別な注意をユーザに払わせることなく当該吊下げフックを容易に挿通させ得るためであり、これにより使い勝手の向上が図られている。
【００２２】
この第１の補強板部２２には、折り目２４を介して仕切板部２５が接続され、当該仕切板部２５が折り目２６を介して第２の補強板部２７と接続されている。すなわち仕切板部２５は、折り目２４及び折り目２６を介して第１の補強板部２２及び第２の補強板部２７との間で凹状に折り曲げられることにより、図１に示したように吊下げ式包装ケース１の内部収納空間を閉塞する仕切り板として機能するようになされている。
【００２３】
第２の補強板部２７は、第１の補強板部２２と同一幅であるが折り目２６から折り目２８までの距離が当該第１の補強板部２２における折り目２１から折り目２４までの距離よりも長く、かつ第１の補強用フック穴２３よりも一回り大きな穴サイズでかつ相似形でなる第２の補強用フック穴２９が形成されている。
【００２４】
この第２の補強板部２７は、図４に示すように、折り目２６及び折り目２８で折り曲げられた際、当該折り目２６が内部収納空間で箱構成部１０の前面板１０Ａ（図示せず）に接触するほど近接し、折り目２８が第１の補強板部２２の折り目２１に接触するほど近接する。
【００２５】
これにより第２の補強板部２７は、吊下げ式包装ケース１の内部収納空間であって仕切板部２５の上方空間に対して斜めに位置付けられるため、結果的に仕切板部２５を押し付けて当該仕切板部２５が上方に浮き上がるのを防止し得るようになされている。
【００２６】
このとき第２の補強板部２７は、第２の補強用フック穴２９が第１の補強用フック穴２３よりも一回り大きなサイズに形成されているため、当該第２の補強板部２７が斜めに配置された場合であっても、第１の補強用フック穴２３における穴サイズと第２の補強用フック穴２９における穴サイズとがほぼ同じ大きさにみえ、第１の補強用フック穴２３及び第２の補強用フック穴２９とが同一直線上に並んだときに陳列棚の吊下げフックを第１の補強用フック穴２３及び第２の補強用フック穴２９に対して容易に貫通させ易くしている。
【００２７】
第２の補強板部２７（図２）には折り目２８を介して天板部３０が接続されており、当該天板部３０には折り目３１を介して蓋構成部１１全体の先端に位置する差込舌片２１が接続されている。この差込舌片２１は、蓋構成部１１が蓋として機能するときに吊下げ式包装ケース１の内部収納空間に差し込まれる部分となる。
【００２８】
天板部３０は、折り目２８及び折り目３１を介して折り曲げられ、図４に示したように差込舌片２１が吊下げ式包装ケース１の内部収納空間に差し込まれたとき、当該天板部３０が吊下げ式包装ケース１の内部収納空間を閉塞する蓋として機能する。
【００２９】
また天板部３０は、折り目２８及び折り目３１に沿って両側から僅かな切込み３３〜３６が設けられており、これにより差込舌片２１が吊下げ式包装ケース１の内部収納空間に差し込まれたとき、当該天板部３０の切込み３３〜３６と側面板１０Ｃ及び１０Ｄの舌部１３Ｂ及び１５Ｂにおける付け根部分１７及び１８（図３）とが係合して当該天板部３０の浮き上がりを防止するようになされている。
【００３０】
差込舌片２１は、吊下げ式包装ケース１の内部収納空間に差し込まれたとき、箱構成部１０の前面板１０Ａに設けられた吊下げ用フック穴３と対向する位置に第３の補強用フック穴３９が設けられており、当該吊下げ用フック穴３及び第３の補強用フック穴３９に対して陳列棚の吊下げフック（図示せず）を直線的に挿通させ得るようになされている。
【００３１】
従って吊下げ式包装ケース１では、図５に示すように箱構成部１０及び蓋構成部１１が組み立てられた結果形成される内部収納空間に対し、蓋構成部１１の天板部３０によって蓋をした状態で、吊下げ用フック穴４、第１の補強用フック穴２３、第２の補強用フック穴２９、第３の補強用フック穴３９及び吊下げ用フック穴３が一直線上に並ぶことになる。
【００３２】
これにより吊下げ式包装ケース１では、吊下げ用フック穴４、第１の補強用フック穴２３、第２の補強用フック穴２９、第３の補強用フック穴３９及び吊下げ用フック穴３に対して陳列棚の吊下げフックを直線的に貫通させ得るようになされている。
【００３３】
（３）吊下げ用フックの構成
ところで、図６（Ａ）及び（Ｂ）に示すように陳列棚の吊下げフックには２種類存在し、通常の１本タイプの吊下げフック４０Ａと、２本タイプの吊下げフック４０Ｂとに分かれている。
【００３４】
１本タイプの吊下げフック４０Ａでは、その先端が僅かに上方向を向いた金属性棒状部材でなり、その先端部分が上方向を向いているため吊下げ式包装ケース１が吊下げ用フック穴３及び吊下げ用フック穴４に係合されたときに当該吊下げフック４０Ａから滑り落ちることを防止し得るようになされている。
【００３５】
また２本タイプの吊下げフック４０Ｂでは、２本の金属性棒状部材がその先端で接続された一体構成でなり、１本タイプの吊下げフック４０Ａと同様に先端部分が上方向を向いているため吊下げ式包装ケース１が吊下げ用フック穴３及び吊下げ用フック穴４に係合されたときに当該吊下げフック４０Ａから滑り落ちることを防止し得るようになされている。
【００３６】
（４）吊下げフックとの係止状態
図７（Ａ）に示すように１本タイプの吊下げ用フック４０Ａは、吊下げ式包装ケース１の吊下げ用フック穴３及び吊下げ用フック４に係止されたとき、略二等辺三角形状の頂点部分と吊下げ用フック４０Ａとが面接触されるため、点接触する場合よりも吊下げ用フック穴３及び吊下げ用フック穴４の破損可能性を低減させ得るようになされている。
【００３７】
また図７（Ｂ）に示すように２本タイプの吊下げ用フック４０Ｂは、吊下げ式包装ケース１の吊下げ用フック穴３及び吊下げ用フック４に係止されたとき、略二等辺三角形状の底辺部分の両側２点で吊下げ用フック４０Ｂが係合し、吊下げ式包装ケース１の自重を２点で支持すると共に左右方向への動きを抑制し、安定した状態で吊下げ式包装ケース１を保持し得るようになされている。
【００３８】
このように吊下げ用フック穴３及び吊下げ用フック穴４は、１本タイプの吊下げ用フック４０Ａ及び２本タイプの吊下げ用フック４０Ｂの何れについても対応することができる形状に選定されている。
【００３９】
従って、当該吊下げ用フック穴３及び吊下げ用フック穴４と相似形でなる第１の補強用フック穴２３、第２の補強用フック穴２９及び第３の補強用フック穴３９についても、当該吊下げ用フック穴３及び吊下げ用フック穴４と同様に、１本タイプの吊下げ用フック４０Ａ及び２本タイプの吊下げ用フック４０Ｂの何れについても対応し得るようになされている。
【００４０】
（５）組立状態
（５−１）第１の組立状態
図８に示すように吊下げ式包装ケース１では、箱構成部１０を各折り目１１Ａ〜１１Ｄで折り曲げ、糊代片１２Ａと側面板１０Ｄとを貼り付け、底面部１２Ｃと底面部１４Ｃとを噛み合わせた状態でその糊代部分１２Ｂ及び１４Ｂと側面板１０Ｃ及び側面板１０Ｄの底面片１３Ａ及び１５Ａとを貼り合わせることにより第１の組み立て状態を形成する。
【００４１】
この場合の吊下げ式包装ケース１では、箱構成部１０によって内部収納空間を形成することは出来たものの、蓋構成部１１が未だ組み立てられておらず、内部収納空間が閉塞されていない状態である。
【００４２】
（５−２）第２の組立状態
図９に示すように吊下げ式包装ケース１は、蓋構成部１１の折り目２１、折り目２４及び折り目２６を折り曲げて仕切板部２５を吊下げ用フック穴３及び吊下げ用フック４の下方に位置させることにより第２の組立状態を形成し、これにより吊下げ用フック穴３及び吊下げ用フック穴４から内部収納空間にゴミ等の異物が混入することを仕切板部２５により防止し得るようになされている。
【００４３】
特に吊下げ式包装ケース１は、内部収納空間に対する異物混入防止の仕切板部２５の各辺が当該内部収納空間を形成する箱構成部１０の前面板１０Ａ、背面板１０Ｂ、側面板１０Ｃ及び側面板１０Ｄに対して当接することになるため、箱２を潰れ難くして全体の強度を上げ得るようになされている。
【００４４】
因みに吊下げ式包装ケース１では、内部収納空間に収納した電子機器やアクセサリー部品に関連した所定のパーツや乾電池等を仕切板部２５の上方空間に置くこともできるので、箱２によってもたらされる内部収納空間を有効に活用し得るようになされている。
【００４５】
このとき吊下げ式包装ケース１は、第２の補強板部２７が仕切板部２５の上方空間で斜めに配置されて箱構成部１０の前面板１０Ａにおける吊下げ用フック穴３と、当該第２の補強板部２７における第２の補強用フック穴２９と、第１の補強板部２２における第１の補強用フック穴２３と、背面部１０Ｂの吊下げ用フック穴４とが一直線上に並ぶことになる。
【００４６】
（５−３）第３の組立状態
図１０に示すように吊下げ式包装ケース１は、第２の補強板部２７が仕切板部２５の上方空間で斜めに配置された状態で、側面板１０Ｃ及び側面板１０Ｄの舌部１３Ｂ及び１５Ｂが内側に折り曲げられ、差込舌片３２が前面板１０Ａと舌部１３Ｂ及び１５Ｂとの間に差し込まれることにより、天板部３０が最終的な蓋として機能する。
【００４７】
このとき吊下げ式包装ケース１は、前面板１０Ａの吊下げ用フック穴３、差込舌片３２における第３の補強用フック穴３９、第２の補強板部２７における第２の補強用フック穴２９、第１の補強板部２２における第１の補強用フック穴２３及び背面部１０Ｂにおける吊下げ用フック４が一直線上に並び、吊下げフック４０Ａ又は４０Ｂ（図６）を直線的かつ容易に貫通させ得るようになされている。
【００４８】
（６）動作及び効果
以上の構成において、吊下げ式包装ケース１では、箱構成部１０及び蓋構成部１１を組み立てることにより前面板１０Ａの吊下げ用フック穴３、差込舌片３２における第３の補強用フック穴３９、第２の補強板部２７における第２の補強用フック穴２９、第１の補強板部２２における第１の補強用フック穴２３及び背面部１０Ｂにおける吊下げ用フック４０を同一直線上に並べることができるので、吊下げ用フック４０Ａ又は４０Ｂを挿通させる際、ユーザに特別な注意を払わせること必要がなく、当該吊下げ用フック４０Ａ又は４０Ｂに対して簡単に係止させることができる。
【００４９】
このとき吊下げ式包装ケース１では、吊下げ用フック穴３、第３の補強用フック穴３９、第２の補強用フック穴２９、第１の補強用フック穴２３及び吊下げ用フック穴４によって吊下げフック４０Ａ又は４０Ｂを５点で支持することができるので、従来の吊下げ用フック穴３及び吊下げ用フック穴４だけによる２点指示と比較して格段に強度を上げることができる。
【００５０】
また吊下げ式包装ケース１では、合計５個のフック穴のうち吊下げ用フック穴３及び吊下げ用フック穴４が最も穴サイズが小さく、第１の補強用フック穴２３及び第３の補強用フック穴３９が吊下げ用フック穴３及び吊下げ用フック穴４よりも僅かに穴サイズが大きく、さらに第２の補強用フック穴２９が第１の補強用フック穴２３及び第３の補強用フック穴３９よりも穴サイズが大きく形成されている。
【００５１】
このため吊下げ式包装ケース１では、最初の段階では最も外側に位置する吊下げ用フック穴３及び吊下げ用フック穴４の２点支持により吊下げフック４０Ａ又は４０Ｂに係止されているが、仮に吊下げ用フック穴３及び吊下げ用フック穴４だけでは支えきれなくなると、次の段階ではその一つ内側に位置する第１の補強用フック穴２３及び第３の補強用フック穴３９を加えた４点支持により吊下げフック４０Ａ又は４０Ｂに係止され、それでも支えきれなくなると、最後の段階では最内側に位置する第２の補強用フック孔２９をも加えた５点支持により吊下げフック４０Ａ又は４０Ｂに係止される。
【００５２】
すなわち吊下げ式包装ケース１では、最初の段階で２点支持、次の段階では４点支持、そして最後の段階では５点支持するように３段階に分けて吊下げフック４０Ａ又は４０Ｂに係止されることになるため、最も外側に位置する吊下げ用フック穴３及び吊下げ用フック穴４だけの２点だけで終始支持する従来品とは異なり、当該吊下げ用フック穴３及び吊下げ用フック穴４に対する破損を最小限に食い止めることができる。
【００５３】
さらに吊下げ式包装ケース１は、吊下げ用フック穴３、第３の補強用フック穴３９、第２の補強用フック穴２９、第１の補強用フック穴２３及び吊下げ用フック穴４が全て同一直線上に設けられているため、吊下げフック４０Ａ又は４０Ｂに係止されたとき、内部収納空間に収納された内容物の自重によって前後いずれの方向に対しても傾かずに吊下げ式であることをユーザにイメージさせることがないうえ、箱２の表面側に施された絵柄等をユーザに目視確認させ易い状態で提示することができる。
【００５４】
特に、吊下げ式包装ケース１では陳列棚に吊下げられたとき、前後方向に傾かずデザイン性が損なわれることがないため、箱２に対して自由なデザインを施すことができるようになる。
【００５５】
さらに吊下げ式包装ケース１では、箱２に対して吊下げ用フック穴３及び吊下げ用フック穴４が直接設けられているため、陳列棚に吊下げて展示する際、従来品のように吊下げ用フック穴部分を箱の内部収納空間から取り出す等の手間が不要で煩雑な操作をユーザに強いることがない。
【００５６】
さらに吊下げ式包装ケース１では、吊下げ用フック穴部分だけ箱２から突出している従来品のときには当該吊下げ用フック穴部分が出荷時に破損することがあったが、箱２に対して吊下げ用フック穴３及び吊下げ用フック穴４が直接設けられ、箱２から突出する部分が存在しないので無用な破損を未然に防止することもできる。
【００５７】
以上の構成によれば、吊下げ式包装ケース１では吊下げフック４０Ａ又は４０Ｂに係止された吊下げ時、内部収納空間に収納された収納物の自重やユーザの取り扱いによって吊下げ用フック穴３及び吊下げ用フック穴４が容易に破損することのないよう高強度化することができる。
【００５８】
（７）他の実施の形態
なお上述の実施の形態においては、蓋構成部１１と箱構成部１０とが一体化された箱２からなる吊下げ式包装ケース１を形成するようにした場合について述べたが、本発明はこれに限らず、蓋構成部１１と箱構成部１０とが別部品となる２点以上の複数部品の集合によって吊下げ式包装ケース１を形成するようにしても良い。
【００５９】
また上述の実施の形態においては、シート状の板紙でなる箱構成部１０を用いるようにした場合について述べたが、本発明はこれに限らず、ポリプロピレン樹脂、ポリスチレン樹脂、塩化ビニル樹脂、ポリエチレンテレフタレート樹脂等からなる箱構成部１０や、その他種々の素材からなる箱構成部１０を用いるようにしても良く、要は折り曲げて組み立てることが可能な素材であれば良い。
【００６０】
さらに上述の実施の形態においては、仕切板部２５の上方空間を斜めに位置する第２の補強板部２７が１枚だけ設けられ、その第２の補強板部２７に対して第２の補強用フック穴２９を設けることにより吊下げ式包装ケース１を構成するようにした場合について述べたが、本発明はこれに限らず、図１１に示すように、第２の補強板部２７の前後に重ねるように第３の補強板部５１及び第４の補強板部５２を設け、当該第３の補強板部５１における第４の補強用フック穴５３及び第４の補強板部５２における第５の補強用フック穴５４を設けることにより吊下げ式包装ケース１００を構成するようにしても良い。
【００６１】
この場合の吊下げ式包装ケース１００では、吊下げ用フック穴３、第３の補強用フック穴３９、第４の補強用フック穴５３、第２の補強用フック穴２９、第５の補強用フック穴５４、第１の補強用フック穴２３及び吊下げ用フック穴４による最大７点で支持することができるので一段と高強度化することができる。
【００６２】
さらに上述の実施の形態においては、仕切板部２５の上方空間を斜めに位置する第２の補強板部２７が設けられ、その第２の補強板部２７に対して第２の補強用フック穴２９を設けることにより吊下げ式包装ケース１を構成するようにした場合について述べたが、本発明はこれに限らず、図１２に示すように、第２の補強板部２７の代わりに前面板１０Ａ及び背面板１０Ｂと同様に垂設された状態の第２の補強板部６１を設け、当該第２の補強板部６１に対して第１の補強用フック穴２３及び第３の補強用フック穴３９と同一若しくは僅かに大きな穴サイズでなる第２の補強用フック穴６２を設けるようにしても良い。
【００６３】
さらに上述の実施の形態においては、仕切板部２５の上方空間を斜めに位置する第２の補強板部２７が設けられ、その第２の補強板部２７に対して第２の補強用フック穴２９を設けることにより吊下げ式包装ケース１を構成するようにした場合について述べたが、本発明はこれに限らず、図１３に示すように、第２の補強板部２７の代わりにＬ字状に形成された第２の補強板部７１を背面板１０Ｂと一体に設け、当該第２の補強板部７１に対して第１の補強用フック穴２３及び第３の補強用フック穴３９と同一若しくは僅かに大きな穴サイズでなる第２の補強用フック穴７２を設けるようにしても良い。
【００６４】
さらに上述の実施の形態においては、吊下げフック４０Ａ又は４０Ｂに引っ掛けて展示するため、箱構成部１０の前面板１０Ａ及び背面板１０Ｂにおける上部の所定位置に吊下げ用フック穴３及び吊下げ用フック穴４を設けるようにした場合について述べたが、本発明はこれに限らず、図１４に示すように、前面板１０Ａ及び背面板１０Ｂにおける下部の所定位置に吊下げ用フック穴３及び吊下げ用フック穴４を設けることにより吊下げ用フック４０Ｂに係止させるようにしても良い。
【００６５】
さらに上述の実施の形態においては、箱部として略直方体形状の箱２を用いるようにした場合について述べたが、本発明はこれに限らず、立方体形状、円筒形状等のその他種々の形状の箱を用いるようにしても良い。
【００６６】
さらに上述の実施の形態においては、箱部としての箱２、２個の吊下げ用フック穴としての吊下げ用フック穴３及び吊下げ用フック穴４、補強用フック穴としての第２の補強用フック穴２９によって吊下げ式個装箱としての吊下げ式包装ケース１を形成するようにした場合について述べたが、本発明はこれに限らず、その他種々の形状、サイズ及び構造でなる箱部、吊下げ用フック穴及び補強用フック穴によって吊下げ式個装箱を形成するようにしても良い。
【産業上の利用可能性】
【００６７】
本発明の吊下げ式個装箱は、例えば小型の電子機器やアクセサリー部品等以外の文房具、化粧品等のその他種々の内容物を収納した状態で店頭に吊り下げて陳列する吊下げ式包装ケースに適用することができる。
【図面の簡単な説明】
【００６８】
【図１】吊下げ式包装ケースの外観構成を示す略線的斜視図である。
【図２】箱の組立て前状態を示す略線図である。
【図３】舌部の構成を示す略線図である。
【図４】蓋構成部の組立状態を示す略線図である。
【図５】各フック穴の位置関係を示す略線的断面図である。
【図６】吊下げ用フックの構造を示す略線図である。
【図７】吊下げ用フックの係止状態を示す略線的断面図である。
【図８】第１の組立状態を示す略線的斜視図である。
【図９】第２の組立状態を示す略線的斜視図である。
【図１０】第３の組立状態を示す略線的斜視図である。
【図１１】他の実施の形態における吊下げ式包装ケースの断面構造（１）を示す略線的断面図である。
【図１２】他の実施の形態における吊下げ式包装ケースの断面構造（２）を示す略線的断面図である。
【図１３】他の実施の形態における吊下げ式包装ケースの断面構造（３）を示す略線的断面図である。
【図１４】他の実施の形態における吊下げ式包装ケースを示す略線的断面図である。
【符号の説明】
【００６９】
１……吊下げ式包装ケース１、２……箱、３、４……吊下げ用フック穴、１０……箱構成部、１１……蓋構成部、２２……第１の補強板部、２３……第１の補強用フック穴、、２５……仕切板部、２７……第２の補強板部、２９……第２の補強用フック穴、３０……天板部、３２……差込舌片、３３〜３６……切込み、３９……第３の補強用フック穴４０Ａ、４０Ｂ……吊下げフック、５１……第３の補強板部、５２……第４の補強板部、５３……第４の補強用フック穴、６１……第２の補強板部、６２……第２の補強用フック穴。
【図１】
2007008540.tif 000003
【図２】
2007008540.tif 000004
【図３】
2007008540.tif 000005
【図４】
2007008540.tif 000006
【図５】
2007008540.tif 000007
【図６】
2007008540.tif 000008
【図７】
2007008540.tif 000009
【図８】
2007008540.tif 000010
【図９】
2007008540.tif 000011
【図１０】
2007008540.tif 000012
【図１１】
2007008540.tif 000013
【図１２】
2007008540.tif 000014
【図１３】
2007008540.tif 000015
【図１４】
2007008540.tif 000016